(57)【要約】【課題】糸くず回収器において、糸くずを突起に確実に絡み付かせて、糸くずの回収器内への保持性能を向上させる。【解決手段】糸くず回収器を、投入口が設けられたケーシング１０と、ケーシング１０内に収容されたディスク３０と、ディスク３０をケーシング１０内で周方向に回転可能に支持する回転軸２０と、ディスク３０の投入口１２ｄ、１２ｈへの対向面から突出する多数の突起４０と、を備える構成とする。投入口１２ｄ、１２ｈからケーシング１０の内部に投入された糸くずは、ディスク３０を回転軸２０の周りに回転させることで突起４０により絡め捕られる。糸くずを突起４０に対して積極的かつ強制的に絡み付かせるため、糸くずの保持性能が向上する。【選択図】図１
2018174837.tif 000002
【特許請求の範囲】
【請求項１】
投入口が設けられたケーシングと、
前記ケーシング内に収容されたディスクと、
前記ディスクを前記ケーシング内で周方向に回転可能に支持する回転軸と、
前記ディスクの前記投入口への対向面から突出する多数の突起と、を備え、
前記投入口からケーシングの内部に投入された糸くずは、
前記ディスクを回転軸周りに回転させることで前記突起により絡め捕られる、糸くず回収器。
【請求項２】
前記ケーシングと前記ディスクの間に組み込まれ、前記ディスクの回転軸周りの回転を一方向にのみ許容するラチェット機構をさらに備える請求個１に記載の糸くず回収器。
【請求項３】
前記突起は、前記ディスクの回転方向に対して先端部が先行する向きに傾斜している、請求項２に記載の糸くず回収器。
【請求項４】
前記ディスクは、前記対向面のうち前記傾斜する突起を射影した箇所を含む領域に水抜き孔を有する請求項３に記載の糸くず回収器。
【請求項５】
前記突起は、その先端部に、糸くずが引っかかり可能な歯を有する請求項１から４のいずれかに記載の糸くず回収器。
【請求項６】
前記ケーシングは、前記ディスクの外周部をケーシング外に露出させる切欠きを有し、この切欠きを通じてディスクを回転操作可能となっている請求項１から５のいずれかに記載の糸くず回収器。
【請求項７】
前記ケーシングは、
前記ディスクの回転中心から見て中心側の前記対向面に臨む第１の投入口と、
前記ディスクの回転中心から見て周縁側の前記対向面に臨む第２の投入口と、からなる請求項１から６のいずれかに記載の糸くず回収器。
【請求項８】
前記ケーシングは、
ケーシング本体と、蓋と、前記ケーシング本体と前記蓋とを連結するヒンジとを有し、
前記回転軸は、
前記ケーシングのケーシング本体および蓋のいずれか一方に一端部が固定され、ケーシング本体および蓋のいずれか他方に他端部が軸支可能となっている、請求項1から７のいずれかに記載の糸くず回収器。
【発明の詳細な説明】
【技術分野】
【０００１】
本発明は、釣糸の糸くずを回収するための糸くず回収器に関する。
【背景技術】
【０００２】
魚釣りの際には、釣糸が意図せずして破断したり、釣糸をハサミで切断するなどして、糸くずが発生することが多いが、このような糸くずを釣り場にそのままうち捨てると環境に悪影響を及ぼす。このため、特許文献１のような、釣糸の糸くずを回収するための糸くず回収器が考案されている。
特許文献１の糸くず回収器は、袋状または箱状をなしており、収納空間の内壁には多数の突起が設けられている。糸くず回収器の開口から収納空間へと糸くずを投入すると、その糸くずは突起に絡み付くなどして、収納空間内に保持されることになる。
【先行技術文献】
【特許文献】
【０００３】
【特許文献１】特開２０００−２０１６０８号公報
【発明の概要】
【発明が解決しようとする課題】
【０００４】
しかし、特許文献１の糸くず回収器では、開口から投入した糸くずが自然に突起に絡み付くのに任せているため、そもそも絡み付かなかったり、絡み付きが不十分であって衝撃がかかる等すると突起から脱落することがある。そのような場合、収納空間内で浮動状態にある糸くずが、開口を通じて外部へと飛び出してしまう問題があった。
【０００５】
そこで、本発明の解決すべき課題は、糸くず回収器において、糸くずを突起に確実に絡み付かせて、糸くずの回収器内への保持性能を向上させることである。
【課題を解決するための手段】
【０００６】
上記した課題を解決するため、発明にかかる糸くず回収器として、投入口が設けられたケーシングと、前記ケーシング内に収容されたディスクと、前記ディスクを前記ケーシング内で周方向に回転可能に支持する回転軸と、前記ディスクの前記投入口への対向面から突出する多数の突起と、を備える構成を採用したのである。
そして、前記投入口からケーシングの内部に投入された糸くずは、前記ディスクを回転軸周りに回転させることで前記突起により絡め捕られることとしたのである。
【０００７】
このようにすると、ディスクを回転させることで糸くずを突起に対して積極的かつ強制的に絡み付かせることが可能になるため、絡み付きが十分になり、糸くずが突起から脱落しにくくなる。
【０００８】
発明にかかる糸くず回収器において、前記ケーシングと前記ディスクの間に組み込まれ、前記ディスクの回転軸周りの回転を一方向にのみ許容するラチェット機構をさらに備える構成を採用するのが好ましい。
このようにすると、ディスクの一方向の回転により突起に絡み付けられた糸くずが、ディスクが逆回転することで意図せずして突起からほどけてしまうことが防止される。
【０００９】
発明にかかる糸くず回収器において、前記突起は、前記ディスクの回転方向に対して先端部が先行する向きに傾斜している構成を採用するのが好ましい。
このようにすると、突起の先端に引っかかった糸くずには、ディスクの回転に伴ない突起の傾斜に沿って根元（ディスクの結合部）の側へと案内される力が作用するため、突起からはずれてしまうことが防止される。
【００１０】
発明にかかる糸くず回収器において、前記ディスクは、前記対向面のうち前記傾斜する突起を射影した箇所を含む領域に水抜き孔を有する構成を採用するのが好ましい。
このようにすると、突起に絡み付いた糸くずから滴下する水分が、突起の直下にある水抜き穴を通じてディスクの投入口と対向する面と逆側の面(裏面)へ回るため、糸くずと水分とを分別することができる。
【００１１】
発明にかかる糸くず回収器において、前記突起はその先端部に、糸くずが引っかかり可能な歯を有する構成を採用するのが好ましい。
このようにすると、突起の先端に接触した糸くずが歯に引っかかることで、突起の外面が滑らかな場合に比べて、糸くずの捕捉性能が向上する。
【００１２】
発明にかかる糸くず回収器において、前記ケーシングは、前記ディスクの外周部をケーシング外に露出させる切欠きを有し、この切欠きを通じてディスクを回転操作可能に構成するのが好ましい。
このようにすると、切欠きを通じてディスクの外周部を指で触れることができるため、その外周部を指ではじいてディスクを回転操作することが容易となる。
【００１３】
発明にかかる糸くず回収器において、前記投入口は、前記ディスクの回転中心から見て中心側の前記対向面に臨む第１の投入口と、前記ディスクの回転中心から見て周縁側の前記対向面に臨む第２の投入口と、からなる構成を採用することができる。
このようにすると、第１の投入口と第２の投入口を適宜選択して糸くずを投入することで、ディスクの中心側に設けられた突起と周縁側に設けられた突起に対して、ほぼ均等に、万遍なく糸くずを絡み付かせることが可能となる。したがって、局所的に集中して糸くずが絡み付くのが防止され、特定の突起に過剰に糸くずが絡み付くことに伴なう、糸くずの突起からのはずれやほどけが抑制される。
【００１４】
発明にかかる糸くず回収器において、前記ケーシングは、ケーシング本体と、蓋と、前記ケーシング本体と前記蓋とを連結するヒンジ部とを有し、前記回転軸は、前記ケーシングのケーシング本体および蓋のいずれか一方に一端部が固定され、ケーシング本体および蓋のいずれか他方に他端部が軸支可能となっている構成を採用することができる。
このようにすると、ケーシングの蓋を開いて、糸くず回収器の使用後にディスクに絡め捕られた糸くずを解いて廃棄することが容易となる。
【発明の効果】
【００１５】
発明にかかる糸くず回収器を以上のように構成したので、糸くずを突起に確実に絡み付かせて、糸くずの回収器内への保持性能を向上させることが可能となった。
【図面の簡単な説明】
【００１６】
【図１】糸くず回収器の斜視図
【図２】糸くず回収器の分解斜視図
【図３】糸くず回収器の平面図
【図４】（ａ）は図３のＡ−Ａ断面図、（ｂ）は図３のＢ−Ｂ断面図
【図５】図３の要部拡大図
【図６】糸くず回収器の使用状態を示す平面図
【発明を実施するための形態】
【００１７】
以下、図面を参照しつつ本発明の実施形態について説明する。
図１から図４に示す実施形態の糸くず回収器は、ケーシング１０と、回転軸２０と、ディスク３０と、突起４０を備え、魚釣りの際に生じる糸くずを突起に絡みつけて保持するものである。
ここで、実施形態の糸くず回収器は、その全体、すなわちケーシング１０、回転軸２０、ディスク３０および突起４０が、すべて透明の樹脂により形成されている。
【００１８】
図１から図４に示すように、ケーシング１０は、ケーシング本体１１と、蓋１２と、ケーシング本体１１と蓋１２とを連結するヒンジ１３とを有する。
ヒンジ１３には、ケーシング本体１１や蓋１２よりも肉厚の小さな薄肉部１３ａが設けられているため、折り曲げが容易となっている。
図４（ａ）の実線で示すように、ヒンジ１３の薄肉部１３ａを折り曲げることで、ケーシング本体１１の上に蓋１２を被せると、ケーシング１０は閉じられ、同図の鎖線で示すように、ヒンジ１３を伸ばすことで、ケーシング本体１１の上から蓋１２を退去させると、ケーシング１０は開かれることになる。
【００１９】
図１から図４のように、ケーシング本体１１は、底面部１１ａと、底面部１１ａの周縁から張り出すフランジ１１ｂを有する。
底面部１１ａは、平面視で略円形であり、かつ球面の一部をなすように下に凸にわずかに湾曲している。
フランジ１１ｂには、タブ１１ｃが付属しており、円孔である紐孔１１ｄと、角孔である係合孔１１ｅとが、並列して設けられている。紐孔１１ｄはひもを通して、糸くず回収器を吊り下げる際などに利用される。
タブ１１ｃは、ケーシング本体１１とヒンジ１３の連結箇所からみて、底面部１１ａの直径方向に対向する位置にある。
【００２０】
フランジ１１ｂの内周部からは、円弧形のカラー１１ｆが立ち上がっている。
また、フランジ１１ｂ上において、ケーシング本体１１とヒンジ１３の連結箇所には、歯止め１１ｇが設けられている。この歯止め１１ｇは、その先端部が底面部１１ａの側に向けて屈曲している。
ケーシング本体１１とヒンジ１３の連結箇所の傍らには、底面部１１ａおよびフランジ１１ｂが円弧形に切り欠かれてなる切欠き部１１ｈが設けられている。
【００２１】
図１から図４のように、蓋１２は、天面部１２ａと、天面部１２ａの周縁から垂下する周面部１２ｂを有する。
天面部１２ａは、平面視で略円形であり、かつ球面の一部をなすように上に凸にわずかに湾曲している。
天面部１２ａは、その中心に軸受部１２ｃが設けられている。軸受部１２ｃは、円環形の軸受部本体と、軸受部本体から放射状に延びる本体支持部とからなる。
また、軸受部１２ｃの傍らには、天面部１２ａの径方向に延びる長孔である第１の投入口１２ｄが設けられている。ここで、第１の投入口１２ｄの長手方向と、ケーシング１０を開いた状態でのケーシング本体１１と蓋１２との並列方向とは一致している。
【００２２】
周面部１２ｂは、略円筒形をなしており、その下縁には、係合爪１２ｅが設けられている。係合爪１２ｅは、蓋１２とヒンジ１３の連結箇所からみて、天面部１２ａの直径方向に対向する箇所に位置している。
図４（ａ）のように、ケーシング１０を閉じた際には、係合爪１２ｅは、ケーシング本体１１の係合孔１１ｅに係合し、ケーシング１０が意図せずして開いてしまうことが防止されている。
蓋１２とヒンジ１３の連結箇所の傍らには、天面部１２ａから周面部１２ｂにかけてほぼ平坦に形成された指当て部１２ｆが設けられている。この指当て部１２ｆにおいて、周面部１２ｂの下縁部は切り欠かれて、切欠き部１２ｇが設けられている。
ケーシング１０を閉じた際には、切欠き部１２ｇは、ケーシング本体１１の切欠き部１１ｈと合致して開口が形成されるようになっている。
また、切欠き部１２ｇと天面部１２ａの直径方向に対向する箇所には、天面部１２ａから周面部の上縁部にかけて第２の投入口１２ｈが設けられている。第２の投入口１２ｈの開口縁のうち、下縁には肩部１２ｉが付属している。
【００２３】
図１から図４のように、回転軸２０は、円筒形をなしており、その一端部である根元部がケーシング本体１１の底面部１１ａの中心部に連結されている。回転軸２０とケーシング本体１１とは一体に成形されている。
ケーシング１０を閉じた際には、回転軸２０の他端部である先端部は、蓋１２の軸受部１２ｃに嵌まり込むことで支持される。回転軸２０の先端部には、先端に向けてわずかに拡径するテーパ状の抜け止め部２１が設けられている。
ケーシング本体の底面部１１ａには、回転軸２０と同心上に円環形のガイド部１１ｉが設けられている。
【００２４】
図１から図４のように、ディスク３０は、ディスク本体３１と、ラチェット部３２を有している。
ディスク本体３１は、平面視で略円形であり、かつ球面の一部をなすように上に凸にわずかに湾曲している。
ディスク本体３１の表面の中心からは、円筒形のボス部３１ａが立ち上がっている。このボス部３１ａに回転軸２０が差し込まれており、これにより、ディスク３０は、回転軸２０に支持され、かつ回転軸２０を中心に周方向に回転可能となっている。図４（ａ）のように、ボス部３１ａの先端部の内周面には段部３１ｂが形成されており、この段部３１ｂに回転軸２０の先端部にある抜け止め部２１が係合することで、ディスク３０は、回転軸２０から抜き取り不能となっている。
また、ボス部３１ａに回転軸２０を差し込んだ状態で、図４（ｂ）のように、ディスク本体３１の裏面は、ケーシング１０の底面部１１ａの全体のうち、ガイド部１１ｉとのみ接触している。これにより、ディスク３０が回転する際の摩擦抵抗が減じられている。
【００２５】
ラチェット部３２は、円筒形をなしており、ディスク本体３１の表面の周縁部から立ち上がっている。ラチェット部３２の外周の全周には、多数の爪３２ａが設けられている。各爪３２ａは、ラチェット部３２の周方向に対して同方向に傾斜している。
ボス部３１ａに回転軸２０が差し込まれた状態で、図５のように、ラチェット部３２の傾斜した爪３２ａには、ケーシング１０の歯止め１１ｇの先端部が係合している。
図中矢印方向にディスク３０が回転しようとする際には、ラチェット部３２の爪３２ａが歯止め１１ｇを順次乗り越えてゆくため、その回転が許容される。一方、矢印方向と逆方向にディスク３０が回転しようとする際には、ラチェット部３２の爪３２ａが歯止め１１ｇに突き当たって回転が阻止されることになる。
すなわち、ディスク３０の爪３２ａとケーシング１０の歯止め１１ｇとが、ディスク３０の回転を一方向にのみ許容するラチェット機構として機能する。
【００２６】
ディスク３０は、そのラチェット部３２の一部が、ケーシング１０の切欠き部１１ｈ、１２ｇが合致することで形成されている開口を通じて、ケーシング１０の外部へと露出している。一方、ディスク本体３１は、ケーシング１０の切欠き部１１ｈ、１２ｇから外部へと露出していない。
このラチェット部３２の露出した箇所を指当て部１２ｆにあてがわれた指で弾くことで、ディスク３０を回転操作できるようになっている。
またディスク３０のディスク本体３１は、その表面が、ケーシング１０の第１および第２の投入口に対向している。第１の投入口１２ｄは、ディスク本体３１の表面のうち、中心部から周縁部の手前にかけての直上に臨んでおり、第２の投入口１２ｈは、ディスク本体３１の表面のうち、周縁部にやや斜方から臨んでいる。
【００２７】
図１から図４のように、多数の突起４０は、略円柱形をなしており、ディスク本体３１の第１および第２の投入口との対向面である表面から突出している。ディスク３０と突起４０とは一体に成形されている。
図５のように、突起４０は、ディスク３０の回転方向に対してディスク本体３１との結合部よりも先端部が先行する向きに傾斜している。
【００２８】
図３のように、突起４０は、ディスク本体３１の径方向に中心部から周縁部に向けてほぼ等間隔に並ぶ３つの突起４０からなる第１群と、ディスク本体３１の周縁部に位置する単一の突起４０のみからなる第２群とが、ディスク本体３１の周方向に交互に並列する配置となっている。第１群の突起４０のうち、中央の突起４０は、内側と外側の２つの突起４０よりも長くなっている。また、第２群の突起は、第１群の突起４０のうち、中央の突起４０とほぼ同じ長さとなっている。
傾斜する突起４０は、その先端部の全周のうち、下半周に歯４１が設けられている。一方、先端部の全周のうち、上半周は滑らかな外面となっている。
【００２９】
また図面上では省略されているが、ディスク３０と突起４０を金型で一体成形する際には、傾斜する各突起４０をディスク本体３１に射影した領域に、型抜き用の孔が必要となる。
すなわち、金型の上型のみでディスク３０上に傾斜した突起４０の全体を形成することは、突起の傾斜方向がＸ方向またはＹ方向に揃っておらず、型抜きができないことから不可能である。したがって、突起４０の上半周を上型で形成し、突起４０の下半周（ディスク本体３１と対向する側）を下型で形成することになる。その際には、突起４０の直下の箇所に下型が通るための型抜き用の孔が必要となる。
【００３０】
実施形態の糸くず回収器の構成は以上のようであり、魚釣り時に糸くずＬが発生した場合には、図６のように、携帯している糸くず回収器の第１および第２の投入口１２ｄ、１２ｈを通じてケーシング１０の内部へとその糸くずＬを投入する。
なお、第２の投入口１２ｈには、ケーシング１０の横側から糸くずＬを投入する必要があるが、その開口の下縁に肩部１２ｉを有するため、この肩部１２ｉが糸くずＬを下から受け支えることで投入作業がスムーズに行われる。
【００３１】
ケーシング１０の内部に投入された糸くずＬは、第１および第２の投入口１２ｄ、１２ｈに対向するディスク３０のディスク本体３１の表面に落下する。
この状態で、ケーシング１０の切欠き部１１ｈ、１２ｇから露出するディスク３０のラチェット部３２を指当て部１２ｆにあてがわれた指で弾いて、ディスク３０をラチェット機構により回転が許容された方向へと回転操作する。
これにより、図６のように、ディスク本体３１の表面に落下した糸くずＬが、多数の突起４０に強制的に巻き付けられ、絡め捕られる。
【００３２】
ディスク３０を回転させると、突起４０の先端部の全周のうち下半周に設けられた歯４１に糸くずＬが引っかかるため、突起４０が糸くずＬを確実に捕捉できるようになっている。また、突起４０の先端部の全周のうち上半周は歯４１が設けられておらず、滑らかになっているため、糸くずＬが突起４０に捕捉不能な状態で不用意に引っかからないようになっている。
また、突起４０がディスク３０の回転方向に対して先端部が先行する向きに傾斜しているため、ディスク３０の回転に伴なって、糸くずＬには、その突起４０に沿って先端部から根元部（ディスク本体３１との結合部）へと向かう力が生じる。したがって、いったん突起４０に引っかかった糸くずＬが、突起４０から外れるのが防止されている。
ラチェット機構により、ディスク３０の回転方向が一方向に制限されているため、意図せずしてディスク３０が逆方向に回転して糸くずＬが突起４０から解けてしまうことも防止されている。
さらに、ディスク本体３１に設けられた型抜き用の孔は、水抜き孔として利用することができる。すなわち、突起４０に絡み付いた糸くずＬから滴下する水分が、その突起４０の直下にある型抜き用の孔を通じてディスク本体３１の投入口１２ｄ、１２ｈと対向する表面からと裏面へと回る。このため、糸くずと水分とを分離することが可能となる。
【００３３】
ケーシング１０の内部に多数の糸くずＬが投入されるのに伴って、糸くずＬが絡め捕られている突起４０の位置に偏りが生じることがある。
このような場合、ディスク本体３１の中心部の突起４０に偏って糸くずＬが絡め捕られているのであれば、糸くずＬを第２の投入口１２ｈから投入する頻度を増やすことでディスク本体３１の周縁部の突起４０に絡み付くようにする。
また、ディスク本体３１の周縁部の突起４０に偏って糸くずＬが絡め捕られているのであれば、糸くずＬを第１の投入口１２ｄから投入する頻度を増やすことでディスク本体３１の中心部の突起４０に絡み付くようにする。
このように、第１の投入口１２ｄと第２の投入口１２ｈを適宜選択して糸くずＬを投入することで、局所的に集中して糸くずＬが絡み付くのが防止され、特定の突起４０に過剰に糸くずＬが絡み付くことに伴なう、糸くずＬ同士のもつれや、糸くずＬの突起４０からの意図しない外れや解けが抑制される。
【００３４】
糸くずの回収を終えた糸くず回収器は、釣り場から家庭に持ち帰るなどした後、ケーシング１０を開いて、突起４０から糸くずＬを解き、その糸くずを廃棄したうえで、次回の利用に供される。
図６のように、ディスク３０の回転方向に従って、糸くずＬは突起４０に対してディスク３０の周方向に沿った方向性を持って絡み付いている。そのため、糸くずＬを、その絡み付きの方向と逆方向に解いてゆくことで、突起４０に対して不規則に絡み付いている場合と比較して、容易に解くことができる。
【００３５】
今回開示された実施形態はすべての点で例示であって制限的なものではない。本発明の範囲は特許請求の範囲によって示され、特許請求の範囲内およびこれと均等の意味でのすべての修正と変形を含む。
【００３６】
ケーシング１０の形状は、実施形態に限定されず、たとえば立方体、直方体などの箱型でもよい。ディスク３０の形状も、実施形態に限定されず、たとえばドーム状に湾曲していたり、平面視で楕円形や多角形であってもよい。
【００３７】
実施形態では、糸くず回収器の全体を透明の樹脂で形成しているが、材質や色彩はこれに限定されず、金属製としたり不透明の樹脂製としたりしてもよい。また、実施形態ではケーシング本体１１と回転軸２０、ディスク３０と突起４０とをそれぞれ一体に成形しているが、別体に成形した後に結合してもよい。
【００３８】
実施形態では、抜け止め部２１と段部３１ｂにより、ディスク３０を回転軸２０に対して抜け止めしているが、ディスク３０を回転軸２０から抜き取り可能に構成して、ケーシング１０を開いた際に、ケーシング１０とディスク３０とを分解できるようにしてもよい。このようにすると、糸くず回収器の清掃等が容易となる。
【符号の説明】
【００３９】
１０  ケーシング
１１  ケーシング本体
１１ａ  底面部
１１ｂ  フランジ
１１ｃ  タブ
１１ｄ  紐孔
１１ｅ  係合孔
１１ｆ  カラー
１１ｇ  歯止め
１１ｈ  切欠き部
１１ｉ  ガイド部
１２  蓋
１２ａ  天面部
１２ｂ  周面部
１２ｃ  軸受部
１２ｄ  第１の投入口
１２ｅ  係合爪
１２ｆ  指当て部
１２ｇ  切欠き部
１２ｈ  第２の投入口
１２ｉ  肩部
１３  ヒンジ
１３ａ  薄肉部
２０  回転軸
２１  抜け止め部
３０  ディスク
３１  ディスク本体
３１ａ  ボス部
３１ｂ  段部
３２  ラチェット部
３２ａ  爪
４０  突起
４１  歯
Ｌ  糸くず
【図１】
2018174837.tif 000003
【図２】
2018174837.tif 000004
【図３】
2018174837.tif 000005
【図４】
2018174837.tif 000006
【図５】
2018174837.tif 000007
【図６】
2018174837.tif 000008